(57)【要約】　　　（修正有）【課題】組立てが簡単で、防塵カバーの設置または衣類や物品を置くために使用することができる網状の上部フレームを備え、吊り下げる衣類の数量に応じ、吊り管を延伸できる、防塵カバー対応ハンガーラックの提供。【解決手段】吊り管４１と、伸縮管及び上部フレーム４２を連結する連結管４３に、縦横方向に横通孔４３１及び縦通孔４３２を形成し、該横通孔に前記吊り管を穿置し、該横通孔の外端部から、前記吊り管両端の管内部に設置された伸縮内管４１０を伸出させ、前記連結管の横通孔付近底部の面を貫通させて固定ネジ４３４を螺設し、該固定ネジは、前記吊り管を貫通し、該吊り管内に設置された伸縮内管を固定し、さらに、前記連結管上部に設置されたT字形連結部４３３の上端部には嵌合溝４３３１を備えた嵌合管４３３０が設置され、該嵌合溝に、網状の上部フレームの格子棒４２０を嵌置し、該嵌合管外側表面中央部にネジ孔を形成し、ネジ４６を穿通して前記上部フレームを固定する。　　【選択図】　　図４
0003100158.tif 000002
【実用新案登録請求の範囲】
【請求項１】
　吊り管と、上部フレームと、２つの連結管と、２本の伸縮管と、脚部を含み、そのうち、前記連結管は、同時に横方向、軸方向、径方向にそれぞれ前記吊り管、伸縮管、上部フレームが連結され、さらに、前記連結管は、縦横方向に横通孔及び縦通孔を備えた管体であり、上部に上方向に突起して、径方向にT字形を呈したT字型連結管を設け、略牛角状を呈し、そのうち、該連結管の横通孔の外端部は、若干小径に窄めて形成され、前記吊り管を穿置後、その両端を支持し、且つ、該外端部から、前記吊り管両側の管内に設置された伸縮内管を伸出させ、該連結管の横通孔近くの底部に、該横通孔の面を貫通させ固定ネジを螺設し、該固定ネジは、前記吊り管を貫通し、該吊り管内に設置された伸縮内管を固定し、さらに、前記連結管上部に設置されたT字形連結部の上端部に設けた嵌合管内に、嵌合溝を形成し、該嵌合溝に、網状の上部フレームを嵌置することを特徴とする、防塵カバー対応ハンガーラック。
【請求項２】
　前記上部フレームに網状の格子棒を設置した、請求項１に記載の防塵カバー対応ハンガーラック。
【請求項３】
　前記該嵌合管外側表面中央部にネジ孔を形成し、該ネジ孔にネジを穿通し、該嵌合管に嵌置された前記上部フレームを固定する、請求項１に記載の防塵カバー対応ハンガーラック。
【考案の詳細な説明】
【技術分野】
【０００１】
　本考案は、ハンガーラックに関し、特に、組立てが簡単で、使用上実用的な、防塵カバー設置に対応したハンガーラックに関する。
【背景技術】
【０００２】
　従来の防塵カバー設置に対応したハンガーラックは、図１及び図２に示すように、主に、ハンガーラック本体上部に設置され、長方形の平面を呈した角型フレームと、脚部に立設した直立状のサイドフレームに水平方向に連結棒を架設した前記ハンガーラック本体から成り、防塵カバーが該ハンガーラック本体の外側上部から下方向へ覆設される。
【０００３】
　このようなハンガーラックの最も重要且つ変化に富んだ部位は、本体上部の角型フレーム部分で、図１に示すような角型フレーム１は、２つの相対するコ字状棒１１と、該コ字状棒１１に枢設され、日の字状を呈する連結棒１２、及び中心棒１３から成り、さらに、はんだ付けの加工方法により、該角型フレーム１を、ハンガーラック本体２の上端に固定される。図２に示す別の形態は、角型フレームにはんだ付けの固定方法を用いず、伸縮管上端の連結端３１の適所に連結突起３１１を設け、さらに、該角型フレームの角部に接続管３２を用い、縦方向に縦金属棒３３、横方向に横金属棒３４を連結して形成される。
【考案の開示】
【考案が解決しようとする課題】
【０００４】
　図１に示すようなハンガーラックの角型フレームは、産業上の利用において、組立てと固定に時間と労力がかかり不便であるだけでなく、加工、製造、包装、運送上もまた不便で、コストが高いという欠点があり、製品の競争価値の向上が難しい。さらに、消費者にとっても、このようなハンガーラックは、はんだ付けにより固定された構造であるため、運搬、包装において不便である。図２に示すようなハンガーラックは、製造においては加工コストの負担がないが、組立てに時間と労力を要し、且つ、構成部品が多く、組立ての精密度、構造の安定性等に間接的に影響し、また、消費者にとっても、このように構成部品が多いハンガーラックは、組立てと運搬において理想的ではない。さらに、前述の２種類のハンガーラックは、角型フレーム部分が防塵カバーの設置のための使用のみに限られ、且つ、横棒の長さが固定されており、吊り下げることのできる衣類の数量にも限度がある。
【０００５】
　前述の問題に鑑みて、本考案の目的は、組立てが簡単で、防塵カバーの設置または衣類や物品を置くために使用することができる網状の上部フレームを備え、吊り下げる衣類の数量に応じ、吊り管を延伸できる、防塵カバー対応ハンガーラックを提供することにある。
【課題を解決するための手段】
【０００６】
　本考案の防塵カバー設置に対応したハンガーラックは、吊り管と、伸縮管及び上部フレームを連結する連結管に、横方向に横通孔を形成し、該横通孔に前記吊り管を穿置し、該横通孔の外端部は若干小径に窄めて形成され、穿置された該吊り管の両端を支持し、且つ、該横通孔の外端部から、前記吊り管両端の管内部に設置された伸縮内管を伸出させ、前記連結管の横通孔に近い底部の面を貫通させて固定ネジを螺設し、該固定ネジは、前記吊り管を貫通し、該吊り管内に設置された伸縮内管を固定し、さらに、前記連結管上部に設置されたT字形連結部の上端部には、４５度の挟み角度で開口した嵌合溝を備えた嵌合管が設置され、該嵌合溝に、網状の上部フレームの格子棒を嵌置し、該嵌合管外側表面中央部にネジ孔を形成し、該ネジ孔にネジを穿通し、該嵌合管に嵌置された前記網状の上部フレームを固定する。　　　　
【考案の効果】
【０００７】
　本考案の防塵カバー対応ハンガーラックによれば、組立てが簡単であるだけでなく、特に、本考案の網状の上部フレームは、防塵カバーの設置または衣類や物品を置くために使用することができ、また、連結管の横通孔に、伸縮内管を備えた吊り管を穿入し、衣類の数量に合わせ、該伸縮内管を伸縮させて使用することができ、より多くの衣類を吊り下げることが可能であり、より実用性が高い。
【考案を実施するための最良の形態】
【０００８】
　以下、本考案の防塵カバー対応ハンガーラックについて、図面に基づき、詳細に説明する。
　図３及び図４に示すように、本考案のハンガーラック４は、主に、吊り管４１と、上部フレーム４２、２つの連結管４３、２本の伸縮管４４、脚部４５から成り、そのうち、前記吊り管４１は、衣類を吊り下げるために用いられ、前記連結管４３に横方向に連結され、前記上部フレーム４２は、前記吊り管４１上部に設置される。前記連結管４３は、下方向に２本の伸縮管４４が連結され、該伸縮管４４は、外管４４１と内管４４３を備え、該外管４４１の上端部に固定ネジを備えた固定管４４２を設置し、前記内管４４３がネジにより固定される。該外管４４１の下端部は、脚部４５に連結され、この部分については、一般的な構造であるため、ここでは説明を省略する。
【０００９】
　本考案の特徴は、前記連結管４３は、横方向の横通孔４３１と、縦方向の縦通孔４３２を備えた管体であり、上部の適所に上方向に突起して、径方向にT字形を呈したT字型連結管４３３が設置され、略牛角状を呈し、図４及び図５に示すように、連結管４３の横方向の横通孔４３１の外端部４３１０は、若干小径に窄めて形成され、前記吊り管４１を穿置後、その両端を支持し、且つ、該外端部４３１０から、前記吊り管４１の両側の管内に設置された伸縮内管４１０を伸出させ、該連結管４３の横通孔４３１近くの底部に、該横通孔４３１の面を貫通させて固定ネジ４３４を螺設し、該固定ネジ４３４は、前記吊り管４１を貫通し、該吊り管４１内に設置された伸縮内管４１０を固定する。さらに、前記連結管４３上部に設置されたT字形連結部４３３の上端部に設けた嵌合管４３３０内側に、４５度の挟み角度で嵌合溝４３３１を形成し、該嵌合溝４３３１に、網状の上部フレーム４２の格子棒を嵌置し、さらに、該嵌合管４３３０外側表面中央部にネジ孔４３３２を形成し、該ネジ孔４３３２にネジ４６を穿通し、該嵌合管４３３０に嵌置された前記網状の上部フレーム４２を固定する。
【００１０】
　前記網状の上部フレーム４２は、網状の格子棒４２０を備え、これにより、ハンガーラック４の組立てが簡便になるだけでなく、同時に、該網状の上部フレーム４２は、図６に示すように、防塵カバー５を被せて用いることができるほか、さらに、衣類や物品を置くために用いることができる。また、前記連結管４３の横通孔４３１は、内部に伸縮内管４１０を備えた吊り管４１を嵌置することができ、吊り下げる衣類の数量に応じ、伸縮内管４１０を、該横通孔４３１から伸出させ、多くの衣類を吊り下げることを可能にする。
【００１１】
　前述のように、本考案の連結管４３には、同時に、横方向、軸方向、径方向にそれぞれ吊り管４１、伸縮管４４、上部フレーム４２が連結され、ハンガーラック４の組立作業を迅速且つ簡便に行なうことを可能にし、また、網状の格子棒４２０を備えた上部フレーム４２は、防塵カバー５を被せて使用するほか、衣類や物品を置くために使用してもよい。さらに、前記連結管４３は、内側に伸縮内管４１０を備えた吊り管４１が嵌置され、該伸縮内管４１０を該連結管４３から伸出させ、より多くの衣類を吊り下げることができ、実用性が高い。
【図面の簡単な説明】
【００１２】
【図１】一般的な組立式ハンガーラックの外観斜視図である。
【図２】図１とは別の一般的な組立式ハンガーラックの外観斜視図である。
【図３】本考案のハンガーラックの外観斜視図である。
【図４】本考案のハンガーラックの連結管部分の立体分解図である。
【図５】本考案のハンガーラックの連結管部分の側面断面図である。
【図６】本考案のハンガーラックに防塵カバーを被せた使用状態を示す立体斜視図である。
【符号の説明】
【００１３】
　１　　　　角型フレーム
　１１　　　 コ字状棒
　１２　　　 連結棒
　１３　　　 中央棒
　２　　　　本体
　３１　　　 連結端
　３１１　　　連結突起
　３２　　　 接続管
　３３　　　 縦金属棒
　３４　　　 横金属棒
　４　　　　ハンガーラック
　４１　　　 吊り管
　４１０　　　伸縮内管
　４２　　　 上部フレーム
　４２０　　　格子棒
　４３　　　 連結管
　４３１　　　横通孔
　４３２　　　縦通孔
　４３３　　　T字形連結部
　４３３０　　 嵌合管
　４３３１　　 嵌合溝
　４３３２　　 ネジ孔
　４３４　　　 固定ネジ
　４４　　　　伸縮管
　４４１　　　 外管
　４４２　　　 固定管
　４４３　　　 内管
　４５　　　　脚部
　４６　　　　ネジ
　５　　　　 防塵カバー
【図１】
0003100158.tif 000003
【図２】
0003100158.tif 000004
【図３】
0003100158.tif 000005
【図４】
0003100158.tif 000006
【図５】
0003100158.tif 000007
【図６】
0003100158.tif 000008